(57)【要約】【課題】  光学系装置を装着し視線方向の視界をカメラのファインダとすることにより、一々カメラのファインダを覗くことなく撮影でき、さらに上記装置を装着し映像を表示する映像表示装置を内蔵した一対のカプセルを両眼の前面に吊設し移動しながら映像が見えるようにする。【解決手段】  光学系装置のレンズ上部に設けたデジタルカメラ用筐体から撮影レンズを吊設し、両眼の正面方向の視界をファインダの映像とすることで、上記正面方向の視界は常に撮影の対象となる。また上記装置のレンズの一部を覆う窓のある暗室カプセルに拡大レンズと小型の映像表示装置を内蔵し，一対の上記カプセルを上記装置の上部から両眼の前面に吊るし上記窓を通じ内部を覗くと上記映像表示装置に表示された映像を拡大して見ることが出来その映像は眼の遠近補正用として、又カメラのファインダとして使用出来る。【選択図】  図２８
2005198124.tif 000002
【特許請求の範囲】
【請求項１】
デジタルビデオカメラ用撮影レンズを係着した筐体を左右瞳の上部に担持し前記瞳の視線方向に存在する視界の一部をファインダの映像として前記撮影レンズで撮影した映像を単独の映像表示装置に電気的に表示することのできる光学系装置であって、前記ファインダの映像を撮影するため前記装置で担持し又は可動出来るよう担持した前記筐体に係着した前記記撮影レンズと、前記撮影レンズで撮影した映像を前記筐体より分離した単独の前記映像表示装置に電気的に表示することを特徴とする光学系装置。
【請求項２】
デジタルビデオカメラ用撮影レンズを係着した筐体を瞳の側面で担持し左右瞳の視線方向に存在する視界の一部をファインダの映像として前記撮影レンズで撮影した映像を単独の映像表示装置に電気的に表示することのできる光学系装置であって、前記ファインダの映像を撮影するため前記装置で担持し又は可動出来るよう担持した前記筐体に係着した前記撮影レンズと、前記記撮影レンズで撮影した映像を前記筐体より分離した単独の前記映像表示装置に電気的に表示することを特徴とする光学系装置。
【請求項３】
瞳で見える視界の一部を通して内部を覗くことが出来る窓を有し拡大レンズ及び映像表示装置を内蔵した暗室カプセルを前記瞳の前面に吊設した光学系装置であって、前記映像表示装置に電気的に表示された映像または前記映像に重複した映像を前記窓を通し前記拡大レンズで拡大して見ることの出来る一対の前記カプセルを左右両端に係着したコンジットと、前記コンジットの中央部を左右瞳の上部から前記左右瞳の前面位置に吊設し前記一対のカプセルのそれぞれの前記窓が覗けるようにした状態でそれぞれの前記映像表装置に電気的に表示された同一映像をそれぞれの前記拡大レンズで拡大して見ることができることを特徴とする光学系装置。
【発明の詳細な説明】
【技術分野】
【０００１】
本発明は、左右瞳の上部又はいずれか一方の瞳の側部にデジタルビデオカメラ用撮影レンズを係着した筐体を担持した状態で上記瞳で見える視線方向の視界をファインダの映像として捉え上記筐体に係着した上記撮影レンズで上記映像を撮影することができる光学系装置と、
【０００２】
瞳で見える視界の一部を通して覗ける窓を有し拡大レンズと映像表示装置を内蔵した一対の暗室カプセルを左右瞳の上部から上記左右瞳の前面に吊設し、上記映像表示装置に電気的に表示される映像を上記拡大レンズで拡大して見ることができる光学系装置に関する。
【背景技術】
【０００３】
従来、映像を記録に残すためデジタルビデオカメラが提供され、眼の欠陥または経年的な視力の劣化に対応しては光学的レンズによる眼鏡が提供されている。またテレビジョンやデジタルビデオカメラ等の光学的な映像を電気的に表示するために液晶等による映像表示装置が提供されている。
【発明の開示】
【発明が解決しようとする課題】
【０００４】
以上に述べた従来のデジタルビデオカメラでは手で支えたり三脚を用いてファインダを覗き被写体に焦点を合わせて撮影する必要があり、通常の眼鏡は光学的にレンズの性質を利用して肉眼の劣化や欠陥を補正するものであるがその補正によっては種々の光学レンズが必要である。又テレビジョン等を含む映像表示装置は設置場所が必要であり携帯型のものは手で支えて見る必要がある。  
【０００５】
本発明は、このような従来の装置が有している問題を解決するものであり、第１の解決手段としては、デジタルビデオカメラ用撮影レンズを係着した筐体を左右瞳の上部又は一方の瞳の側部に担持し上記瞳で見える視線方向の視界の一部をファインダの映像とし一々カメラのファインダを見なくても撮影できる光学系装置を提示し、第２の解決手段としては瞳で見える視界の一部を通して覗ける窓を有し且つ拡大レンズと映像表示装置を内蔵した一対の暗室カプセルを左右瞳の前面に吊設し、上記カプセル内の映像表示装置に電気的に表示さる映像を上記拡大レンズで拡大して見ることのできる光学系装置を提示する。尚上記映像表示装置に電気的に表示さる映像としては上記撮影レンズで撮影した映像及びテレビジョン等の映像も含むものである。従って上記光学系装置装置を使用するときは従来の光学的レンズを使用する眼鏡と異なり被写体の映像を電気的に自動焦点制御して明確に表示でき、ズームすることができ、撮影でき、又視界の一部を通して見ることが出来るテレビジョン等の映像は場所を取らず移動しながら見ることができる。尚この発明は健康な眼を有する全ての者を対象とするため広く度のないレンズで構成される眼鏡を含みヘッド・バンド、キャップ、帽子、ヘルメット等にも装備できる光学系装置である。
【課題を解決するための手段】
【０００６】
そして、先ず上記第一の解決手段を達成するために軽量で小型のデジタルビデオカメラをその筐体と映像表示装置に分離する。撮影レンズを係着した上記筐体は左右瞳の上部位置或いは片方の瞳の側面に担持し、上記映像表示装置は別途端末に装着した状態で、上記筐体と上記映像表示装置の間は従来のデジタルビデオカメラの機能が維持できるよう電気的に接続する。尚上記筐体は左右瞳の近辺に担持する為、軽量、小型で且つ嵩張らない筐体としその他の装置はできるだけ上記映像表示装置と共に上記端末に装備する。次に上記筐体を左右瞳の上部又は片側の瞳の側面に担持する為、それぞれに付いて説明する。
【０００７】
先ず上記筐体を左右瞳の上部に担持した光学系装置について説明する。デジタルビデオカメラ用撮影レンズを係着した筐体を前記左右瞳の上部に担持し上記瞳の視線方向に存在する視界の一部をファインダの映像として上記撮影レンズで撮影した映像を単独の映像表示装置に電気的に表示することのできる光学系装置であって、前記ファインダの映像を撮影するため上記装置で担持し又は可動出来るよう担持した上記筐体に係着した上記記撮影レンズと、上記記撮影レンズで撮影した映像を上記筐体より分離した単独の上記映像表示装置に電気的に表示することの出来る光学系装置を提示する。なお上記撮影レンズの光軸方向と両眼で見ている正面方向と一致させるため上記撮影レンズを係着する位置は左右瞳間の中点に係着することが望ましいが、上記撮影レンズは上記左右瞳の間に係着させる。狭い場所を有効に活用し又個人差等も考慮した。上記光学係装置を使用するときは左右瞳で見える視線方向の一部視界をファインダの映像としその映像を上記撮影レンズで撮影する必要から上記撮影レンズを係着した筐体を可動できるよう担持する。従って上記筐体を可動させ上記撮影映像が上記映像表示装置に表示されていることを確かめる。その後は上記視線方向を記憶しておけば一々上記映像表示装置に表示される映像を確認しなくても上記視線方向の映像を見てシャッタを押すだけで撮影できる。
【０００８】
次に片方の瞳の側部で小型のデジタルビデオカメラの筐体を担持する光学的装置について説明する。デジタルビデオカメラ用撮影レンズを係着した筐体を瞳の側面で担持し左右瞳の視線方向に存在する視界の一部をファインダの映像として上記筐体で担持した上記撮影レンズで撮影した映像を単独の映像表示装置に電気的に表示することのできる光学系装置であって、片方の瞳の側部で担持し又は可動出来るよう担持した上記筐体に係着した上記撮影レンズと、上記撮影レンズで撮影した映像を上記筐体より分離した単独の前記映像表示装置に電気的に表示することができる光学系装置を提示する。尚上記撮影レンズを係着した筐体を左右瞳の上部に担持するか片方の瞳の側部に担持するかは使い易さを考慮したデザイン上の相違である。
【０００９】
次に第２の解決手段に付いて説明する。瞳で見える視界の一部を通して内部を覗くことが出来る窓を有し拡大レンズ及び映像表示装置を内蔵した暗室カプセルを吊設した光学系装置であって、前記映像表示装置に電気的に表示された映像または前記映像に重複した映像を前記窓を通し前記拡大レンズで拡大して見ることの出来る一対の前記カプセルを左右両端に係着したコンジットと、前記コンジットの中央部を左右瞳の上部から前記左右瞳の前面位置に吊設し前記一対のカプセルのそれぞれの前記窓が覗けるようにした状態でそれぞれの前記映像表装置に電気的に表示された同一映像をそれぞれの前記拡大レンズで拡大して見ることができる光学系装置を提示する。
【００１０】
上記映像表示装置に電気的に表示される映像としては上記撮影レンズで撮影した映像及びテレビジョンやインターネット、携帯電話等の有線・無線で送信された受信映像、録画・再生装置等から電気的に処理された映像を対象とする。
【００１１】
しかしながら実際の使用に際しては、上記カプセルを両瞳の正面位置より下部に吊設する場合は上記映像及びその映像に重畳した映像を対称とするが、上記カプセルを両瞳の正面位置に吊設した場合は左右瞳で見える視界範囲の中心に位置する被写体を上記撮影レンズで撮影した映像であり、常にその映像を確保する必要があるので上記撮影レンズの映像又はその映像に重畳した映像とする。
【００１２】
尚上記光学系装置に装着するカプセルとは異なり、瞳の全てを覆う窓を有するカプセルとしそのカプセルの内部をその窓を通して覗く装置ならばカプセル内部を広く見ることが出来るが、本発明では、瞳で見える視界の一部を通して小窓を有するカプセル内部を覗きそのカプセル周辺の視界も同時に見えるようにすることによりより移動しながらでも広範囲に視界を確保でき尚且つカプセル内の映像を見ることが出来るので安全に目的を達成できる。
【発明の効果】
【００１３】
本発明の上記撮影レンズを装着した光学系装置を使用するときは、手振れなく、一々手でカメラを構えファインダを覗かなくとも随時タイムリな撮影が出来る。又デジタルビデオカメラ本体より分離した映像表示装置を装着した端末はシャッタ、電源装置、録画・再生装置等を組み込んで単独の端末とするか、携帯電話に接続し、又は代替端末として使用し相乗効果を期待することも出来る。
【００１４】
両瞳の正面位置に上記一対のカプセルを吊設するときは、両瞳を通して見える視界範囲の中心位置に存在する被写体の映像を上記カプセルに内臓の映像表示装置に表示される映像として見ることが出来るので、従来の光学レンズを使用した遠近両用の眼鏡とは異なる補正用の眼鏡として、ズーム機能があれば双眼鏡として、又カメラのファインダとして使用できる。更に上記映像表示装置に表示される撮影レンズで撮影した映像以外の映像を重畳して上記映像表示装置に表示することが出来る。
【００１５】
又、両瞳を通して見える視界範囲の上半分は通常の視界とし、その視界範囲の下半分に上記一対のカプセルを吊設するときは、上記上半分は広範囲に亙る視界範囲の中心位置にある被写体を見ながら下半分ではその被写体の映像が上記カプセル内の映像表示装置に電気的に表示される。従って上記被写体と上記映像を比較しながら肉眼の遠近補正用の眼鏡として、ズーム機能があれば双眼鏡として、又カメラのファインダとして使用できる。更に上記映像表示装置に表示される撮影レンズで撮影した映像以外の映像又はそれらの映像に重畳して上記映像表示装置に表示することが出来る。
【００１６】
上記撮影レンズで撮影した映像以外の映像としては、テレビジョン、インターネット、携帯電話、カーナビに対応したパスナビ（パッセンジャ・ナビゲータ）等による有線・無線による受信装置からの映像や、整備、操作、運転、学習、印刷物、ゲームの映像等多種類に亙る録画の再生装置からの映像が挙げられる。
【００１７】
その他、インターネットや携帯電話に接続し相互の映像を送受信すれば情報量が倍増する。
【００１８】
尚上記カプセル付き光学系装置を使用するときは、上記カプセル周辺の視界も同時に見ることが出来るので安全に移動出来、又上記カプセルを迅速に上方に回動させ視界を広くできる。
【発明を実施するための最良の形態】
【００１９】
以下、本発明の実施形態の内、第一の解決手段を図１〜２２、第二の解決手段を図２３〜図４９に基づいて説明する。
【００２０】
図1〜図７において、８は眼鏡フレーム７と弦１４よりなる眼鏡のレンズであり、上記眼鏡のレンズ８の上部で補助弦１３と補助フレーム３を用いてフォルダ４とデジタルビデオカメラ用筐体２を担持する（以下本体）。筐体２にマイク５、フラッシュ６を装着し、筐体２の中央部にデジタルビデオカメラ用撮影レンズ１を係着する。端末１５には映像表示装置１６、シャッタ１７、コネクッタ４１を装着する。筐体２と端末１５間はリード線通過ホール１９を通じてリード線１８で電気的に連結する。
【００２１】
図１は上記眼鏡のレンズ上部に撮影レンズ１を装着した眼鏡の前面斜視図である。上記眼鏡を掛けて正面方向にある遠距離の被写体２４を見ている状態で、その被写体２４を撮影できるように撮影用レンズ１を筐体２の中央部に系着させる（図６参照）。ホルダ４と筐体２は固定し１つの筐体として補助フレーム３で担持するか、ホルダ４と筐体２の間は可動軸２０、２１で上下に可動できるよう担持する。力を加えたときのみ動かすことが出来るようにするため可動できることとした。図２は図1の後部斜視図である。本眼鏡を掛けた状態で必要ならば一方の手で撮影レンズ1を上下に可動させ上記眼鏡の左右のレンズ８を通して見える被写体２４に照準を会わせ撮影し、他方の手で端末15を持ち映像表示装置１６に表示される被写体２４の映像２５を見る形態である。この状態で左右のレンズ８を通して見える視界方向を記憶しておき、その方向にある被写体２４は撮影レンズ１の映像として捉えることができるのでシャッタ１７を押せば撮影できる。尚被写体２４の映像を出来るだけ明瞭に捉えるため撮影レンズ１の口径はできるだけ大きくする。端末１５に装着したコネクッタ４１はインターネット、携帯電話、充電器、プリンタ等の外付け装置等の接続用である。
【００２２】
図４（a）はホルダ４と筐体２を担持する補助フレーム３を図示した後面図であり図４（b）は筐体２を除いた状態を示す後面図である。図５（a）は  図４（a）のホルダ４より筐体２を取り外した後面図である。可動軸２０とリード線通過孔兼可動軸２１は筐体２が可動できるよう担持する可動軸である。図５（b）は撮影レンズ１の光軸２２が可動軸２０，２１を中心に実線矢印の方向に上下に可動出来ることを示す側面図である。
【００２３】
図６は被写体２４の撮影レンズ１による映像２５が被写体２４の遠近距離により映像表示装置１６の映像２５として表示されると瞳２３で見ている被写体２４より上下に変移する様子を示す説明図である。図1、図３、図６で図示したように、撮影レンズ１が装着されている眼鏡の上部位置と瞳２３の位置は段差がある為この変移が生じる。図６（a）は側面より見た説明図であり撮影レンズ１と瞳２３は上下の段差を生じる。図６（b）は上面より見た説明図であり被写体２４が遠距離にある場合は被写体２４とレンズの映像２５は同一位置にあるが、近距離では映像２５は映像表示装置１６の映像２５としては下部位置に映し出される。この状態を修正するため図５で述べた如く撮影レンズ１を上下に可動させる。尚撮影レンズ１の焦点を自動焦点制御する信号に連動して映像表示装置１６の映像２５に電気的にバイアスを掛けて修正する方法もある。
【００２４】
以下、上記眼鏡の使用方法を説明する。弦１４で上記眼鏡を掛けて撮影レンズ1で被写体２４を撮影する。視界範囲４８の正面方向を視線方向としその正面位置の下部に端末１５を手で支え映像表示装置１６に希望する被写体２４の映像２５が表示されていることを確かめる。希望する被写体２４が表示されていない時は撮影レンズ１を上下に可動させ希望する被写体２４の映像２５が映像表示装置１６に表示されていることを確かめた後、端末１５は視界から遠ざけシャッタ１７を押す。
【００２５】
図８〜図１３において、８は眼鏡フレーム７と弦１４よりなる眼鏡のレンズであり、上記眼鏡のレンズ８の上部位置に筐体２を担持し、筐体２に吊着パイプ２７を吊設し、吊着パイプ２７の下端に撮影レンズ1を係着する。撮影レンズ１により撮影された被写体２４は映像２５であり、映像２５は映像表示装置１６の映像２５として表示される。
【００２６】
図８は上記眼鏡の左右レンズ８上部で担持した筐体２から左右レンズ８間の中点に撮影レンズ１を吊設した眼鏡の前面斜視図であり、上記眼鏡を掛けて正面方向にある遠距離の被写体２４を見ている状態で、被写体２４を撮影できるように筐体２から吊設した吊着パイプの下端に撮影用レンズ１を係着する（図１１，図１２参照）。図９は上記眼鏡の後部斜視図である。本眼鏡を掛けた状態で上記眼鏡の左右のレンズを通して見える被写体２４を撮影し、他方の手で端末15を持ち映像表示装置１６に表示される被写体２４の映像を見る形態である。
【００２７】
図11は上記眼鏡を掛けた状態で、瞳２３から見ている一点破線矢印方向の被写体２４は実線矢印の方向からの映像として撮影レンズ１で撮影されることを示した説明図である。上記実線矢印の映像は反射鏡２８で反射させ光学的にズーム出来るよう吊着パイプ２７内を通過する。
【００２８】
図1の眼鏡の場合と異なり、図８で説明した如く撮影レンズ1の位置と瞳２３の位置による段差は無いので、被写体２４は遠近距離に関係なく瞳２３で見ている視界範囲４８に対する被写体２４の位置と映像表示装置１６の映像２５の位置は同じである。図１１の追加説明図である図１２（a）は側面から見た説明図、図１２（b）は上面から見た説明図である。図１３は眼鏡のレンズ８、被写体２４、レンズ１の映像２５、映像表示装置１６、シャッタ１７等を装着した端末１５を示した説明図である。
【００２９】
以下、上記構成の動作を説明する。弦１４で上記眼鏡を掛けて正面方向を向き希望する被写体２４を見て撮影レンズ1で被写体２４を撮影する。希望する被写体２４の映像２５が端末１５に装着してある映像表示装置１６の映像２５に表示されていることを確認し端末１５は視界から遠ざけシャッタ１７を押す。
【００３０】
図１４〜図１９に於いて、３０はホルダ担持用弦であり、ホルダ担持用弦３０をサンドイッチ・ホルダ３１でサンドイッチ状に挟み、そのサンドイッチ・ホルダ３１に蝶番３２を固着し、蝶番３２の蝶番軸３３を中心に筐体２が左右に可動できるよう担持する。
【００３１】
図１４は撮影レンズ１を係着した筐体２をホルダ担持用弦３０で担持した眼鏡の前面斜視図であり、上記眼鏡を掛けて正面方向にある遠距離の被写体２４を見ている状態で、撮影用レンズ１でその被写体２４を撮影できるように筐体２に系着させる（図１８参照）。図１５は後部斜視図である。ここでホルダ担持用弦３０は筐体２を単に担持するか、図１７で説明するように必要ならば左右に可動できるように担持する。
【００３２】
図１７（a）は弦１４を加工したホルダ担持用弦３０でサンドイッチ・ホルダ３１を担持し、サンドイッチ・ホルダ３１は蝶番３２を担持し、蝶番３２の蝶番軸３３は筐体２を左右に可動できるよう担持する後面から見た説明図である。尚矢印は筐体２が左右に可動できる方向を示す。又映像表示装置を装着している端子１５から筐体２までの間はリード線通過ホール１９を通りリード線７で電気配線する。図１７（b）は弦３０と筐体２を上面から見た説明図である。
【００３３】
図１８は被写体２４の撮影レンズ１による映像２５が被写体２４の遠近距離により映像表示装置１６の映像２５として表示されると瞳２３で見ている被写体２４より左右に変移する様子を示す説明図である。図１４、図１６、図１７で図示した如く、撮影レンズ１の装着位置と瞳２３の位置は多少の距離差がある為この変移が生じる。図１８（a）は側面より見た説明図であり撮影レンズ１と瞳２３の位置による差はない。図１８（b）は上面より見た説明図であり被写体２４が遠距離にある場合は被写体２４とレンズの映像２５は同一位置にあるが、近距離では映像２５は映像表示装置１６の映像２５としては左位置に映し出される。この状態を修正するため図１７で述べた如く撮影レンズ１を左右に可動させる構造とする。尚撮影レンズ１の焦点を自動焦点制御する信号に連動して映像表示装置１６の映像２５に電気的にバイアスを掛けて修正する方法もある。
【００３４】
又、被斜体２４の遠近距離により撮影レンズ１の光軸方向を変移させるため蝶番３２の蝶番軸３３で筐体２を左右に可動させる構造としたが、更に弦３０を挟んでいるサンドイッチ・ホルダ３１を中心に筐体２を上下に可動させる構造とすることも出来る。
【００３５】
以下、上記眼鏡の使用方法を説明する。弦１４とホルダ担持用弦３０で上記眼鏡を掛けて撮影レンズ1で被写体２４を撮影する。視界範囲４８が正面に見える位置を視線方向としその下部に端末１５を置き映像表示装置１６に希望する被写体２４の映像２５が表示されていることを確かめる。希望する被写体２４が表示されていない時は撮影レンズ１を左右に可動させ希望する被写体２４の映像２５が映像表示装置１６に表示されていることをで確かめた後、端末１５は視界から遠ざけシャッタ１７を押す。
【００３６】
図２０〜２２においては、撮影レンズ1を係着した筐体２をヘッド・バンド５０で担持した光学系装置について説明する。尚ここでは上記ヘッド・バンド５０に筐体２を装着した光学系装置を基本に説明するが、このヘッド・バンド５０と同様にキャップ、帽子、ヘルメット等に装着した光学的装置とすることが出来る。
【００３７】
図２０は撮影レンズ1を係着した薄型筐体２を担持アーム５１の先端に固着した可動軸２０で上下に可動できるよう担持した光学系装置である。矢印は上下に可動できる方向を示す。
【００３８】
図２１は吊着パイプ２７の先端に係着した撮影レンズ1を筐体２に係着した光学系装置である。眼鏡のレンズ８の上部で筐体２を担持し撮影レンズ１を吊設する場合は図８〜１３に示した。
【００３９】
図２２は撮影レンズ１を係着した筐体２をヘッド・バンド５０の側部で担持した光学系装置である。筐体２は吊着プレート５２で吊設する。眼鏡の側部で筐体２を担持する場合は図１４〜１９で示した。両者の違いは吊着プレート５２で担持するか眼鏡の弦３０で担持するかである。
【００４０】
本発明の第二の解決手段としての実施形態を図２３〜４９に基づいて説明する。
【００４１】
図２３〜３７において、３４は瞳２３で見える視界の一部を通して内部を覗くことが出来る窓４６を有し拡大レンズ４２及び映像表示装置４３を内蔵した暗室カプセルであって、前記瞳２３の前面に上記カプセル３４を吊設し、前記映像表示装置４３に電気的に表示された映像を前記窓３４を通し前記拡大レンズ４２で拡大して見ることの出来る一対の前記カプセル３４を左右両端に係着したコンジット３５と、前記コンジット３５の中央部を左右瞳２３の上部から前記左右瞳２３の前面位置に吊設し前記一対のカプセル３４のそれぞれの前記窓４６が覗けるようにした状態でそれぞれの前記映像表装置４３に電気的に表示された同一映像４４をそれぞれの前記拡大レンズ４２で拡大して見ることができる。コントローラ５４は上記カプセル３４に内臓の映像表示装置４３に表示される映像４４の電源スイッチと、デジタルビデオカメラのズーム制御及びシャッタを装着したパネルである。映像処理器３９はシャッタ１７、切替スイッチ４０、端子４１を装着しインターネット、携帯電話、映像・再生装置、プリンタ、充電器等の外付けの装置と筐体２とを連結させる端末である。
【００４２】
図２３においては、図２２の光学系装置に上記コンジット３５と弦無し眼鏡のブリッヂの中央部を吊設器３６の下端で担持しその吊設器３６をヘッド・バンド５０で吊設した装置であって、上記眼鏡のフレームはカップ状フレーム５３とする。肉眼を保護する為である。吊着プレート５２で吊設した筐体２は撮影レンズ1で撮影した映像は映像送信器３７を通じて一対のカプセル３４に内臓の映像表示装置４３に表示される。筐体２はコントローラ５４のスイッチ類を包含すれば映像処理器３９が無くても光学系装置として使用できる。この場合、必要なときのみ上記スイッチ類を手で操作すればよいので効率的である。尚、映像処理器３９を使用する場合はリード線１８の矢印を筐体２に接続する。
【００４３】
図２４においては、図２１の光学系装置に上記コンジット３５と弦無し眼鏡のブリッヂの中央部を吊設器３６の下端で担持しその吊設器３６をヘッド・バンド５０で吊設した装置である。但し映像送信器３７の機能は筐体２に包含させ、コントローラ５４はヘッド・バンド５０に着脱できるよう装着し上記コントローラ５４のスイッチ類は操作が必要なときのみ手を使えばよいようにする。尚、映像処理器３９を使用する場合はリード線１８の矢印を筐体２に接続する。
【００４４】
図２５〜２７においては、図１４〜図１７で説明した弦３０の側面に筐体２を担持した眼鏡に追加して左右レンズ８の上部に担持した映像送信器３７から吊設器３６を吊設した説明図である。吊着器３６は一対のカプセル３４を両端に係着したコンジット３５の中央を担持する。図２５は上記眼鏡の前面斜視図である。図２６は上記カプセル３４を上部に可動させ通常の眼鏡としても使用できるようにした前面斜視図である。図２７は図２５の後部斜視図である。コントローラ５４と映像処理器３９の取り扱いは図２３に記載の装置と同じである。
【００４５】
図２８〜３０は図８の眼鏡の左右レンズ８の上部に筐体２を担持し筐体２から吊設器３６を吊設した説明図である。ここでは筐体２は映像送信器３７の機能を含み、吊着器３６は図１１の吊着パイプ２７に更に一対のカプセル３４を両端に係着したコンジット３５の中央を担持した構造である。図２８は上記眼鏡の前面斜視図である。図２９は上記カプセル３４を上部に可動させた前面斜視図である。カプセル３４を使用しないときは前面を見易くするためである。図３０は上記図２３の後部斜視図である。コントローラ５４は弦１４に着脱できるよう装着し上記コントローラ５４のスイッチ類は操作が必要なときのみ手を伸ばして操作すればよいので効率的である。尚、映像処理器３９を使用する場合はリード線１８の矢印を筐体２に接続する。
【００４６】
図３１〜図３３は上記眼鏡の内部構造の説明図である。図３２（a）は一対のカプセル３４を左右両端に係着したコンジットの中心部を吊設した吊設器３６の前面図である。図３２（b）はカプセル３４を上部に可動させた側面図である。図３３（a）は図３２（a）より筐体２を取り外した分解図である。ホルダ４と筐体２の間は可動軸２０とリード線通過孔兼可動軸２１で上下に可動できるよう担持する。図３３（b）は筐体２の側面図である。
【００４７】
図３４〜３７はカプセル３４の説明図である。図３４は瞳２３が正面方向を向いた位置にカプセル３４を吊設した説明図である。図３５は瞳２３が正面方向を向いた位置に対し下部にカプセル３４を吊設した説明図である。上部にカプセル３４を吊設する場合もほぼ同一である。
【００４８】
図３６はカプセル34に内臓の映像表示装置４３に表示される映像ポイント４４を拡大レンズ４２で見る場合の説明図である。映像表示装置４３に表示されるポイントH1の正立・虚像はH2である。拡大レンズ４２からH1までの距離をｘ、焦点距離をｆ、映像ポイント４４の拡大レンズ３４で拡大した映像距離をDとすればｘ＜ｆの条件で、倍率はD/fで表されカプセルの大きさを判断することが出来る。
【００４９】
上記カプセル３４の機能を説明する。上記カプセル３４を左右レンズ８の前面に吊設した状態で左右の瞳２３で左右レンズ８の一部を通して窓４６を有する一対の上記カプセル３４に内蔵している映像表示装置４３に表示される映像４４を拡大レンズ４２で見ることが出来ると同時に上記一対のカプセル３４の周辺の視界も見ることが出来る。図３４〜３５は側面図であり、図３７は上面図である。
【００５０】
本発明の実施形態を図３８〜４９に基づいて説明する。
【００５１】
図３８〜３９において、２４は視界範囲４８内の被写体であり、光学系装置を装着して一対のカプセル３４を両瞳２３の正面位置に吊設した状態で、左右レンズ８の一部を通し窓４６を覗くと映像表示装置４３の映像範囲４７に表示される被写体２４を拡大レンズ４３で拡大した映像４４が見える。
【００５２】
図３８（a）は上記光学系装置を装着し左右のレンズ８を通し瞳２３で正面の視界範囲４８の中心位置にある被写体２４が撮影レンズ１により撮影された映像４４がカプセル３４内の映像表示装置４３に映し出されることを説明した側面図である（図２４と図２８参照）。図３８（b）は正面図である。
【００５３】
図３９は上記装置を装着し左右のレンズ８を通し瞳２３の正面位置にカプセル３４を吊設した状態で、視界範囲４８、被写体２４、カプセル３４内の映像表示装置４３に映し出される映像４４を立体的に表示した説明図である。
【００５４】
瞳２３の正面位置にカプセル34の窓４６を通して映像表示装置43に表示される映像４４を拡大レンズ４２で拡大して見ながら同時に上記カプセル周囲の視界範囲４８も見ることが出来ので従来の光学レンズを使用した眼鏡と異なる方式で遠近補正用眼鏡として、ズーム機能があれば双眼鏡として、又上記映像４４をデジタルビデオカメラの撮影映像となる。
【００５５】
図４０〜４３は、上記装置を装着し左右のレンズ８を通し瞳２３の正面位置にカプセル３４を吊設した状態で、上記装置の一連の使用方法についての説明図である。
【００５６】
図４０（a）は一対のカプセル３４を上方に可動させた正面図であり、図４０（b）は上記装置を装着して見える前方の視界範囲４８を示す。
【００５７】
図４１（a）は一対のカプセル３４を瞳２３の正面位置に吊設した上記装置の前面図である。図４１（b）は電源がオフの状態で視界範囲と上記一対のカプセルの窓を瞳２３で見ている前面図であり、電源の消耗を防ぐためのスタンバイの状態でもある。
【００５８】
図４２（a）は筐体２に係着した撮影レンズ１で撮影できるようにした上記装置の前面図である。図４２（b）は電源をオンにして上記撮影レンズ１で視界範囲４８の被写体２４を撮影したカプセル３４内の映像範囲４７を両瞳２３で見ている前面図である。この映像範囲４７が両瞳２３の遠近補正用の映像となり、同時にファインダの映像であり、ズームすることにより双眼鏡の映像となる。
【００５９】
図４３は図４２（b）で示した映像範囲４７に重畳映像４９を重畳した正面図である。
【００６０】
本発明の使用の形態を図４４〜４９に基づいて説明する。
【００６１】
図４４〜４５において、２４は視界範囲４８内の被写体であり、眼鏡を掛けて一対のカプセル３４を両瞳２３の正面位置の下部に吊設した状態で、左右レンズ８の一部を通し窓４６を覗くと映像表示装置４３の映像範囲４７に表示される被写体２４を拡大レンズ４２で拡大した映像４４が見える。図３８〜３９は一対のカプセル３４を両瞳２３の正面位置に吊設した状態なので上記状態と異なる。
【００６２】
図４４（a）は視界範囲48内の被写体２４を見るとその被写体２４の映像４４が撮影レンズ１により撮影されその映像がカプセル３４内の映像表示装置４３に表示される様子を説明した側面図である（図２４と図２８参照）。図４４（b）は正面図である。
【００６３】
図４５は上記装置を装着した状態で、視界４８、被写体２４、カプセル３４内の映像表示装置４３に映し出される映像４４を立体的に表示した説明図である。
【００６４】
上記装置の場合は上記装置を装着し瞳２３の正面方向位置より下部にカプセル３４を吊設した状態なので、全体として視界範囲４８の上半分は常に通常の眼鏡として使用でき、下半分がカプセル３４に内臓の映像表示装置４３に表示される映像となる。
【００６５】
図４６〜４９は、上記装置を装着し左右のレンズ８を通し瞳２３の正面位置下部にカプセル３４を吊設した状態で、上記装置の一連の使用方法についての説明図である。
【００６６】
図４６（a）は一対のカプセル３４を上方に可動させた正面図であり、図４６（b）は上記装置を装着して見える前方の視界範囲４８を示す。
【００６７】
図４７（a）は一対のカプセル３４を瞳２３の正面位置に吊設した上記装置の前面図である。図４７（b）は電源がオフの状態で視界範囲と上記一対のカプセルの窓を瞳２３で見ている前面図であり、電源の消耗を防ぐためのスタンバイの状態でもある。
【００６８】
図４８（a）は筐体２に係着した撮影レンズ１で撮影できるようにした上記装置の前面図である。図４２（b）は電源をオンにして上記撮影レンズ１で視界範囲４８の被写体２４を撮影したカプセル３４内の映像範囲４７を両瞳２３で見ている前面図である。この映像範囲４７が両瞳２３の遠近補正用眼鏡の映像となり、同時にファインダの映像であり、ズームすることにより双眼鏡の映像となる。
【００６９】
図４９は図４８（b）で示した映像範囲４７に重畳映像４９を重畳した正面図である。
【図面の簡単な説明】
【００７０】
【図１】眼鏡の前面斜視図。
【図２】上記眼鏡の後部斜視図。
【図３】（a）図は上記眼鏡の正面図、（b）図はその側面図。
【図４】（a）図は筐体２を担持するホルダ４を一括して担持する補助フレーム３の正面図、（b）図は上記（a）図より筐体２を外した正面図。
【図５】（a）は筐体２の裏面図、（b）は側面図。
【図６】（a）図は視点24に照準を合わせる場合の側面の説明図、（b）図は視点24に照準を合わせる場合の上面の説明図。
【図７】視点２４と映像２５を合わせるための説明図。
【図８】筐体２に吊着パイプ２７を吊設した前面斜視図。
【図９】端末１５を連結した図８の後面斜視図。
【図１０】（a）図は上記眼鏡の正面図、（b）図はその側面図。
【図１１】瞳２３と吊着パイプ２７の位置関係を側面から見た説明図。
【図１２】（a）図は上記眼鏡の側部より見た説明図、（b）図は上記眼鏡の上部より見た説明図。
【図１３】視点２４と映像２５を合わせるための説明図。
【図１４】眼鏡側部に筐体２を担持した眼鏡斜視図。
【図１５】端末１５を連結した図１４の後面斜視図。
【図１６】（a）図は上記眼鏡の正面図、（b）図はその側面図。
【図１７】（a）図は上記眼鏡を裏面より見た筐体２を担持する蝶番３３、ホルダ３１及びフレーム３０を裏面より見た説明図。（b）図は上記筐体２を上面より見た説明図。
【図１８】（a）図は上記眼鏡の側部より見た説明図、（b）図は上記眼鏡の上より見た説明図。
【図１９】視点２４と映像２５を合わせるための説明図。
【図２０】ヘッド・バンド５０に担持アーム５１で筐体２を担持した側面図。
【図２１】ヘッド・バンド５０で吊着パイプ２７を係着した筐体２を担持した側面図。
【図２２】ヘッド・バンド５０の側面で筐体２を担持した光学系装置の側面図。
【図２３】ヘッド・バンド５０の側面に筐体２を担持し、その前面は眼鏡用レンズ８とカプセル３４を担持した吊着器３６を吊設した光学系装置の前面図。
【図２４】ヘッド・バンド５０の前面に眼鏡用レンズ８とカプセル３４を担持した吊着器３６を吊設した光学系装置の前面図。
【図２５】カプセル３４を担持した吊着器３６を係着した映像送信器３７と、その映像送信器３７を担持した図１４の眼鏡の前面斜視図。
【図２６】カプセル３４つきコンジット３５を上部に可動させた斜視図。
【図２７】映像処理器３９を連結した図２５の裏面斜視図。
【図２８】カプセル３４を担持した吊着器３６を係着した筐体２を担持した図８の眼鏡斜視図。
【図２９】カプセル３４つきコンジット３５を上部に回動させた図２８の裏面視図。
【図３０】映像処理器３９を連結した図２８の裏面斜視図。
【図３１】（a）図は上記眼鏡の正面図、（b）図はその側面図。
【図３２】（a）図は筐体２を担持するホルダ４を一括して担持する補助フレーム３の正面図、（b）図はカプセル３４を上部に回動させた側面図。
【図３３】（a）は筐体２、吊着器３６、カプセル３４の前面図、（b）は側面図。
【図３４】瞳２３が正面方向を向いた位置にカプセル３４を吊設した説明図。
【図３５】瞳が下方に向いた位置にカプセル３４を吊設した説明図。
【図３６】映像表示装置４３に表示される映像４４を拡大レンズ４２で観測する場合の説明図。
【図３７】瞳２３、撮影レンズ１、被斜体２４、映像表示装置４３、拡大レンズ４２を上面より見た説明図。
【図３８】（a）図はカプセル３４を瞳２３の前方に吊設した光学系装置の前面図。(b)図はそのときのカプセル３４の窓４６と被写体２４、映像範囲４７と視界４８の正面図。
【図３９】上記（b）図の立体映像としての説明図。
【図４０】（a）図はカプセル３４を上部に可動した前面図、(b)  図は瞳２３で見ている前面の視界。
【図４１】（a）図は瞳２３の前面にカプセル３４を吊設した前面図、(b)  図はそのとき見えるカプセル３４の窓４６と視界４８の正面図。
【図４２】（a）図は映像処理器３９の電源をオンにし、(b)  図はカプセル34映像表示装置４３に表示される映像範囲４７と視界４８の正面図。
【図４３】上記(b)  図の映像範囲４７に重畳映像４９を重畳した前面図。
【図４４】（a）図はカプセル３４を瞳２３の前方位置より下方に吊設した光学系装置の側面図。(b)  図はそのときのカプセル３４の窓４６、被写体２４、被写体２４の映像４４、映像範囲４７と視界４８の正面図。
【図４５】上記（b）図の立体映像としての説明図。
【図４６】（a）図はカプセル３４を上部に可動した場合の前面図、(b)  図は瞳２３で見ている前面の視界。
【図４７】（a）図は瞳２３の前面にカプセル３４を吊設した前面図、(b)  図はそのとき見えるカプセル３４の窓４６と視界４８の正面図。
【図４８】（a）図は映像処理器３９の電源をオンにし、(b)  図はカプセル34の映像表示装置４３に表示される映像範囲４７と視界４８の正面図。
【図４９】上記(b)  図の映像範囲４７に重畳映像４９を重畳した前面図。
【符号の説明】
【００７１】
１  デジタルビデオカメラ用撮影レンズ
２  デジタルビデオカメラ用筐体
３  補助フレーム
４  ホルダA
５  マイク
６  フラッシュ
７  眼鏡フレーム
８  レンズ
９  鼻パッド
１０  ブリッヂA  
１１  よろいA
１２  よろいB
１３  補助弦
１４  弦
１５  映像表示装置付き端末
１６  映像表示装置
１７  シャッタ
１８  リード線
１９  リード線通過孔
２０  可動軸
２１  リード線通過孔兼用可動軸
２２  レンズ1の光軸
２３  瞳
２４  被写体
２５  レンズ１の映像
２６  映像表示装置の映像範囲
２７  吊着パイプ
２８  反射鏡
２９  ブリッヂB  
３０  ホルダ担持フレーム
３１  サンドイッチ・ホルダ
３２  蝶番
３３  蝶番軸
３４  カプセル
３５  コンジット
３６  吊着器
３７  映像送信器
３８  イヤーホーン
３９  映像処理端末
４０  切替スイッチ
４１  コネクッタ
４２  拡大レンズ
４３  カプセル内映像表示装置
４４  映像ポイント
４５  フード
４６  窓
４７  カプセル映像範囲
４８  視界範囲
４９  重畳映像
５０  ヘッド・バンド
５１  担持アーム
５２  吊着プレート
５３  カップ状フレーム
５４  コントローラ
【図１】
2005198124.tif 000003
【図２】
2005198124.tif 000004
【図３】
2005198124.tif 000005
【図４】
2005198124.tif 000006
【図５】
2005198124.tif 000007
【図６】
2005198124.tif 000008
【図７】
2005198124.tif 000009
【図８】
2005198124.tif 000010
【図９】
2005198124.tif 000011
【図１０】
2005198124.tif 000012
【図１１】
2005198124.tif 000013
【図１２】
2005198124.tif 000014
【図１３】
2005198124.tif 000015
【図１４】
2005198124.tif 000016
【図１５】
2005198124.tif 000017
【図１６】
2005198124.tif 000018
【図１７】
2005198124.tif 000019
【図１８】
2005198124.tif 000020
【図１９】
2005198124.tif 000021
【図２０】
2005198124.tif 000022
【図２１】
2005198124.tif 000023
【図２２】
2005198124.tif 000024
【図２３】
2005198124.tif 000025
【図２４】
2005198124.tif 000026
【図２５】
2005198124.tif 000027
【図２６】
2005198124.tif 000028
【図２７】
2005198124.tif 000029
【図２８】
2005198124.tif 000030
【図２９】
2005198124.tif 000031
【図３０】
2005198124.tif 000032
【図３１】
2005198124.tif 000033
【図３２】
2005198124.tif 000034
【図３３】
2005198124.tif 000035
【図３４】
2005198124.tif 000036
【図３５】
2005198124.tif 000037
【図３６】
2005198124.tif 000038
【図３７】
2005198124.tif 000039
【図３８】
2005198124.tif 000040
【図３９】
2005198124.tif 000041
【図４０】
2005198124.tif 000042
【図４１】
2005198124.tif 000043
【図４２】
2005198124.tif 000044
【図４３】
2005198124.tif 000045
【図４４】
2005198124.tif 000046
【図４５】
2005198124.tif 000047
【図４６】
2005198124.tif 000048
【図４７】
2005198124.tif 000049
【図４８】
2005198124.tif 000050
【図４９】
2005198124.tif 000051